(57)【要約】【課題】本発明は、画像を表現する色の均衡をなしながら明室コントラストを向上させたデルタ型プラズマディスプレイパネルを提供するためのものである。【解決手段】本発明に係るプラズマディスプレイパネルは、表示領域の全部を含む有効画面を採択することによって、画像を表現する色の均衡をなし、有効画面内に非表示領域が存在する場合は、その非表示領域に外光吸収部を形成することによって非表示領域に投射される外光の反射輝度を低減させて明室コントラストを向上させることができることになる。【選択図】図４
2007073512.tif 000002
【特許請求の範囲】
【請求項１】
互いに対向配置される前面基板及び背面基板と、互いに隣接しながら各々異なる色の可視光を放出する３つの放電セルが三角配置されて１つの画素をなすように前記２基板間の空間を区画する隔壁と、前記前面基板、前記背面基板及び前記隔壁の中の少なくとも１個所に前記放電セルに対応するように配置される複数種類の電極と、前記放電セルに形成される蛍光体層を含むプラズマディスプレイパネルであって、
前記パネルは発光が必要な表示領域と前記表示領域の外部の発光が不要な非表示領域を含んでなり、前記非表示領域に外光吸収部が形成されることを特徴とするプラズマディスプレイパネル。
【請求項２】
前記表示領域と前記非表示領域とがなす境界線が屈曲するようになされることを特徴とする請求項１に記載のプラズマディスプレイパネル。
【請求項３】
前記画素をなす各放電セルは前面から見て左・右端部に辺が位置する六角形であることを特徴とする請求項１に記載のプラズマディスプレイパネル。
【請求項４】
前記画素をなす各放電セルは前面から見て上・下段に辺が位置する六角形であることを特徴とする請求項１に記載のプラズマディスプレイパネル。
【請求項５】
前記一つの画素には前記電極の中から２つのアドレス電極が対応するようになされることを特徴とする請求項１に記載のプラズマディスプレイパネル。
【請求項６】
前記表示領域の全部と、前記表示領域と隣接した非表示領域の一部を含む四角形の有効画面が設定されるようになされることを特徴とする請求項１に記載のプラズマディスプレイパネル。
【請求項７】
前記外光吸収部は前記有効画面内にある前記非表示領域に形成されることを特徴とする請求項６に記載のプラズマディスプレイパネル。
【請求項８】
前記外光吸収部は前記非表示領域に該当する前面基板の前面または背面に形成されることを特徴とする請求項７に記載のプラズマディスプレイパネル。
【請求項９】
前記外光吸収部の幅は周期的に変動することを特徴とする請求項８に記載のプラズマディスプレイパネル。
【請求項１０】
前記外光吸収部は前記非表示領域に該当する前面基板の前面から内側へ所定の深さを有するように形成された溝に光遮断物質が詰められてなされることを特徴とする請求項７に記載のプラズマディスプレイパネル。
【請求項１１】
前記外光吸収部は前記非表示領域に該当するセルをなす隔壁、蛍光体層または誘電体層上に形成されることを特徴とする請求項７に記載のプラズマディスプレイパネル。
【請求項１２】
少なくとも前記有効画面内の前記非表示領域には前記表示領域の最外郭をなす隔壁から延びたダミー壁が形成され、前記外光吸収部は前記ダミー壁上に形成されることを特徴とする請求項７に記載のプラズマディスプレイパネル。
【請求項１３】
前記外光吸収部は表面色がブラック系統の材質を含んでなされることを特徴とする請求項１乃至１２のいずれか１項に記載のプラズマディスプレイパネル。
【請求項１４】
互いに対向配置される前面基板及び背面基板と、互いに隣接しながら各々異なる色の可視光を放出する３つの放電セルが三角配置されて１つの画素をなすように前記２基板間の空間を区画する隔壁と、前記前面基板、前記背面基板及び前記隔壁の中の少なくとも１個所に前記放電セルに対応するように配置される複数種類の電極と、前記放電セルに形成される蛍光体層を含むプラズマディスプレイパネルであって、
前記パネルは発光が必要な表示領域と前記表示領域の外側の発光が不要な非表示領域を含んでなされ、前記表示領域の全部のみを含む有効画面が設定されるようになされることを特徴とするプラズマディスプレイパネル。
【請求項１５】
前記パネルを覆う前面ケースが前記非表示領域を全部覆うように形成されることを特徴とする請求項１４に記載のプラズマディスプレイパネル。
【発明の詳細な説明】
【技術分野】
【０００１】
本発明は、プラズマディスプレイパネルに関し、より詳しくは、画像を表現する色の均衡をなしながら明室コントラストを向上させたデルタ型プラズマディスプレイパネルに関する。
【背景技術】
【０００２】
通常的に、プラズマディスプレイパネル（ＰＤＰ；  Ｐｌａｓｍａ  Ｄｉｓｐｌａｙ  Ｐａｎｅｌ）は気体放電を通じて得られたプラズマから放射される真空紫外線（ＶＵＶ；  Ｖａｃｕｕｍ  Ｕｌｔｒａｖｉｏｌｅｔ）が蛍光体を励起させることによって発生する可視光を利用して映像を具現するディスプレイ素子である。このようなＰＤＰは６０インチ以上の超大型画面を僅か１０ｃｍ以内の厚さで具現でき、ＣＲＴのような自発光ディスプレイ素子であるので、色再現力が優れ、かつ、視野角による歪みのない特性を有する。また、ＬＣＤなどに比べて製造工法が単純であって、生産性及び原価の面でも強点を有するので、次世代産業用平板ディスプレイ及び家庭用ＴＶディスプレイとして脚光を浴びている。
【０００３】
このようなＰＤＰは、一般に、複数の表示電極を有する前面基板と、この表示電極に交差する複数のアドレス電極を有する背面基板とを含む。また、前面基板と背面基板との間には複数の放電領域を区画できるように複数の隔壁が形成されている。このような隔壁の構造としては、ストライプ型、マトリックス型、デルタ型等がある。
【０００４】
この中で、デルタ型隔壁を有するＰＤＰの場合、通常、３つの放電セルが相互隣接して１つの画素をなす。各々の放電セルには、赤色（Ｒ）蛍光体層、緑色（Ｇ）蛍光体層及び青色（Ｂ）蛍光体層が形成される。一般のデルタ型ＰＤＰの場合は、一つの画素に、通常、３つのアドレス電極が割り当てられる。一方、高精細化によりアドレス電極間のキャパシタンスを縮めることができる隔壁構造と放電電圧の上昇が抑制できる電極構造が要求されることによって、回転デルタ型構造の隔壁が提案されるが、この回転デルタ型ＰＤＰの場合は、１つの画素に２つのアドレス電極が割り当てられることができる。即ち、３つの放電セルの中から選択された２つの放電セルに１つのアドレス電極が共通に割り当てられ、残りの１つの放電セルに他のアドレス電極が割り当てられることができる。
【０００５】
このような構造のＰＤＰの作用を簡略に見れば、Ｙ表示電極とアドレス電極に電気的信号を印加して放電セルを選択した後、Ｘ及びＹ表示電極に交互に電気的信号を印加して前面基板の表面から面放電が生じて紫外線が発生し、この紫外線により選択された放電セルの蛍光体層から可視光が放出されて停止画または動画を具現することができる。
【０００６】
このように動作するＰＤＰにおいて、画面の明暗比を表す基準として明室コントラストと暗室コントラストがある。明室コントラストはＰＤＰの外部に１５０ルックス［ｌｕｘ］以上の光源が存在してＰＤＰが外光の影響を受ける際のコントラストを意味し、暗室コントラストはＰＤＰの外部に２１ルックス［ｌｕｘ］以下の光源が存在してＰＤＰが実質的に外光の影響を受けない際のコントラストを意味する。
【０００７】
ＰＤＰの視聴環境は暗室条件の場合もあるが、通常的に視聴者は明室条件でＰＤＰを視聴することになるので、実質的な画質改善のためには明室コントラストを高めなければならず、このためにはＰＤＰの反射輝度を低減しなければならない。したがって、ＰＤＰの反射輝度を低減することができるように内部構造を改善して画面の明室コントラストを高める研究開発が要求される。
【０００８】
ところが、一般のデルタ型ＰＤＰや回転デルタ型ＰＤＰの場合は、有効画面と関連して次のような問題がある。
【０００９】
図１は回転デルタ型ＰＤＰを前面から重なって見た図であって、通常的な四角形の有効画面が採択された。有効画面とは、前面パネルで前面ケースなどにより遮蔽される部分を除いた領域であって、肉眼でディスプレイを有効に見ることができる画面領域をいう。
【００１０】
パネルは所定の放電電圧が印加される放電電極により画像を具現する表示領域と、この表示領域の外側の発光が不要な非表示領域を含んでなる。
【００１１】
図１に示すように、四角形の有効画面３００を有するデルタ型プラズマディスプレイパネルにおいて、表示領域を全部含むように四角形の有効画面３００を設定する場合には必然的に空間が発生することになるが、この空間はデルタ型隔壁構造に起因する。
【００１２】
図面では放電セルを前面から見る時、上・下段に辺が位置する正六角形の放電セルを有する回転デルタ型ＰＤＰを例として表したが、放電セルを前面から見る時、左・右の端部に辺が位置する正六角形の放電セルを有する一般のデルタ型ＰＤＰの場合にも有効画面と表示領域が一致しなくなって、有効画面内に非表示領域である空間が発生することになることは勿論である。
【００１３】
このような空間には、通常、誘電体層や蛍光体層が塗布されているが、この誘電体層と蛍光体層は全て白色系統の色を帯びているので非表示領域に投射される外光に対する反射輝度が非常に高い。このように非表示領域で反射輝度が高くなれば、パネルの明室コントラストを低下させることになって画像再現時の画質を劣化させる原因となる。
【００１４】
一方、このような問題を解決するために、図１に示す有効画面内の空間を遮るように画素を移動させた場合を想定した図面が図２に示している。
【００１５】
図面を参照すれば、四角形の有効画面３００内に非表示領域が存在しないように画素を移動させたが、この場合、表示領域に属する画素の一部が有効画面３００から外れている。図面では回転デルタ型構造を例として表したが、一般のデルタ型構造でも表示領域内の画素の一部が有効画面から外れることになる。
【００１６】
前述のように、デルタ型構造において１つの画素は相互隣接した３つの放電セルからなり、各放電セルは各々赤色、緑色、青色の可視光を発光する。  このような３種類の色の可視光を混合させて多様な色を表現することになるが、図２では画素の一部が有効画面３００から外れているので、入力色信号と出力色とが一致しなくなる。これによって、有効画面３００の縁付近で色の不均衡（ｕｎｂａｌａｎｃｅ）が発生して、本来表現しようとする色を表現できなくなる。
【発明の開示】
【発明が解決しようとする課題】
【００１７】
本発明は、このような問題を解決するためのものであって、画像を表現する色の均衡をなしながら明室コントラストを向上させたデルタ型プラズマディスプレイパネルを提供することをその目的とする。
【課題を解決するための手段】
【００１８】
本発明の一側面に係るプラズマディスプレイパネルは、互いに対向配置される前面基板及び背面基板と、互いに隣接しながら各々異なる色の可視光を放出する３つの放電セルが三角配置されて１つの画素をなすように前記２基板間の空間を区画する隔壁と、前記前面基板、前記背面基板及び前記隔壁の中の少なくとも１個所に前記放電セルに対応するように配置される複数種類の電極と、前記放電セルに形成される蛍光体層を含むプラズマディスプレイパネルにであって、前記パネルは発光が必要な表示領域と該表示領域の外部の発光が不要な非表示領域とを含んでなり、該非表示領域に外光吸収部が形成されることを特徴とする。
【００１９】
ここで、表示領域の全部と、この表示領域と隣接した非表示領域の一部を含む四角形の有効画面が設定されることもできるが、この場合、外光吸収部は有効画面内にある非表示領域に形成されることもできる。
【００２０】
この際、外光吸収部は非表示領域に該当する前面基板の前面または背面に形成されることができる。または、外光吸収部は非表示領域に該当する前面基板の前面から内側へ所定の深さを有するように形成された溝と、この溝に詰められる光遮断物質を含んでなされることができる。または、外光吸収部は非表示領域に該当するセルをなす隔壁、蛍光体層または誘電体層上に形成されることができる。
【００２１】
一方、少なくとも有効画面内の非表示領域には表示領域の最外郭をなす隔壁に延びたダミー壁が形成され、外光吸収部はダミー壁上に形成されることができる。
【００２２】
このような外光吸収部は表面色がブラック系統である材質を含んでなされることが望ましい。
【００２３】
本発明の他の側面に係るプラズマディスプレイパネルは、互いに対向配置される前面基板及び背面基板と、互いに隣接しながら各々異なる色の可視光を放出する３つの放電セルが三角配置されて１つの画素をなすように前記２基板間の空間を区画する隔壁と、前記前面基板、前記背面基板及び前記隔壁の中の少なくとも１個所に前記放電セルに対応するように配置される複数種類の電極と、前記放電セルに形成される蛍光体層を含むプラズマディスプレイパネルであって、前記パネルは発光が必要な表示領域と前記表示領域の外側の発光が不要な非表示領域を含んでなされ、前記表示領域の全部のみを含む有効画面が設定されるようになされることを特徴とする。
【００２４】
この場合、パネルを覆いかぶせる前面ケースが非表示領域を全部覆うように形成されることができる。
【発明の効果】
【００２５】
本発明に係るプラズマディスプレイパネルは表示領域の全部を含む有効画面を採択することによって、有効画面の縁付近であっても画像を表現する色の均衡をなし、有効画面内に非表示領域が存在する場合にはその非表示領域に外光吸収部を形成することによって、非表示領域に投射される外光の反射輝度を低減させて明室コントラストを向上させることができることになる。
【発明を実施するための最良の形態】
【００２６】
以下、添付の図面を参照しつつ本発明に係るプラズマディスプレイパネルに関する実施形態を詳細に説明する。しなしながら、本発明はいろいろな相異している形態で具現されることができ、ここに説明する実施形態に限るのではない。
【００２７】
図３は、本発明の一実施形態に係るプラズマディスプレイパネルの部分拡大斜視図である。
【００２８】
図面を参照すれば、プラズマディスプレイパネル１００は互いに対向配置される前面基板１１０及び背面基板１４０と、互いに隣接しながら各々異なる色の可視光を放出する３つの放電セル１９１、１９２、１９３が三角配置されて、１つの画素をなすように前記２基板１１０、１４０間の空間を区画する隔壁１７０と、前面基板１１０、背面基板１４０、隔壁１７０の中の少なくとも１個所に前記放電セルに対応するように配置される複数種類の放電電極１２０、１５０と、前記放電セルに形成される蛍光体層１６５と、非表示領域に形成される外光吸収部を含んでなり、放電セル内にはプラズマ放電により真空紫外線を発生させる放電ガスが充電されている。
【００２９】
以下では、前面基板１１０方向（図３の＋Ｚ方向）を上部方向に、背面基板１４０方向（図３の−Ｚ方向）を下部方向に区分して説明する。
【００３０】
前面基板１１０はソーダガラスのような透明な素材で形成される。前面基板１１０の下部にはＹ表示電極１２２とＸ表示電極１２４が並んで配列され、Ｙ表示電極１２２とＸ表示電極１２４は基板のＹ方向に沿って交互に配置されており、放電セル別に一対ずつ位置している。Ｙ表示電極１２２とＸ表示電極１２４は上部誘電体層１３０により覆われており、上部誘電体層１３０は保護層１３５により保護される。
【００３１】
背面基板１４０はソーダガラスのような材質で形成され、前面基板１１０と共にプラズマディスプレイパネル１００を形成することになる。背面基板１４０は前面基板１１０と対向する上面に一方向（図３のＹ方向）に配置されるアドレス電極１５０とこのアドレス電極１５０を覆うように塗布される下部誘電体層１６０が形成され、この下部誘電体層１６０の上部に隔壁１７０が形成される。下部誘電体層１６０と隔壁１７０の側壁の一部には蛍光体層１６５が形成されることができる。
【００３２】
隔壁１７０は、図３に示すように、背面基板１４０上に形成された下部誘電体層１６０の表面に所定厚さで形成されることもでき、あるいは、背面基板１４０とは別途に形成されることができる。隔壁１７０は、三角、四角、菱形、五角、六角形の中のいずれかの形状の放電セルをなすように形成されることができる。図面では、六角形状の放電セルをなす隔壁１７０が図示されているが、このような形態に本発明を限るのではない。即ち、本発明はデルタ型構造を有する全ての隔壁１７０に適用可能である。このような隔壁１７０は前面基板１１０と背面基板１４０の間隔を維持し、放電セル１９１、１９２、１９３を区画する役割をする。
【００３３】
デルタ型隔壁１７０は互いに異なる色の可視光を放出する３つの放電セル１９１、１９２、１９３が略三角形態で最も隣接して１つの画素１９０をなすように形成される。ここで、隔壁１７０により区分される１つの画素１９０には２つのアドレス電極１５０が割り当てられている。即ち、３つの放電セル１９１、１９２、１９３の中から選択された２つの放電セル１９２、１９３に１つのアドレス電極１５０が共通に割り当てられ、残りの１つの放電セル１９１に他のアドレス電極１５０が割り当てられることができる。
【００３４】
このような隔壁１７０はスクリーン印刷法、サンドブラスト法、リフトオフ法、エッチング法等で形成できるが、本発明で隔壁１７０の形成方法を限るのではない。また、隔壁１７０は、Ｐｂ、Ｂ、Ｓｉ、Ａｌ及びＯなどのような元素を含むガラス成分で形成され、望ましくは、酸化ジルコニウム（ＺｒＯ２）、酸化チタニウム（ＴｉＯ２）、酸化アルミニウム（Ａｌ２Ｏ３）のようなフィラー（ｆｉｌｌｅｒ）と、クロム（Ｃｒ）、銅（Ｃｕ）、コバルト（Ｃｏ）、鉄（Ｆｅ）などのような顔料が含まれる誘電体で形成される。但し、ここで、隔壁１７０の成分を限るのではなく、多様な誘電体で形成できることは勿論である。
【００３５】
隔壁は白色系統の色を帯びているので、投射される外光に対する反射輝度が非常に高い。反射輝度が高くなればパネルの明室コントラストを低下させることになって、画像再現の際、画質を劣化させる原因となる。したがって、隔壁の上面またはこれに対応する前面基板部分には明室コントラストを向上させるためにブラックストライプ層が形成されることができる。
【００３６】
上部誘電体層１３０は表示電極１２０を含んで前面基板１１０の下面の全体を覆う。このような上部誘電体層１３０は低融点ガラス粉末を主成分とするペースト（ｐａｓｔｅ）を前面基板１１０の下面の全体に均一にスクリーン印刷して形成することができる。このような上部誘電体層１３０は周知のように透明体であり、放電の際にキャパシタとして作用し、電流を制限する役割とメモリ機能を遂行する。延いては、このような上部誘電体層１３０の表面には耐久性を補強し、放電の際に多くの２次電子を放出できるように保護層１３５が更に形成されることができる。このような保護層１３５は酸化マグネシウム（ＭｇＯ）またはその等価物中から選択されたいずれかの１つを利用して電子ビーム方式やスパッタリング等で形成できるが、本発明で保護層の材質及びその形成方法を限るのではない。
【００３７】
下部誘電体層１６０はアドレス電極１５０を含んで背面基板１４０の上面の全体を覆っている。このような下部誘電体層１６０も上部誘電体層１３０と類似するか同一な材質で形成されることができる。
【００３８】
アドレス電極１５０は背面基板１４０の上面に所定ピッチを有し、相互平行するように形成されている。アドレス電極１５０は表示電極１２０に対して略交差する方向に形成されている。１つのアドレス電極１５０は各々異なる色の可視光を放出する放電セルを経るように形成されている（図３のＹ方向）。このようなアドレス電極１５０はＡｇペーストまたはその等価物を利用したスパッタリング、スクリーン印刷法及び写真エッチング技術などにより形成されることができるが、本発明に前記アドレス電極１５０の材質及び形成方法を限るのではない。
【００３９】
表示電極１２０は前面基板１１０の下面に所定ピッチを有し、相互平行するように形成されている。表示電極１２０はＹ表示電極１２２とＸ表示電極１２４が一対をなす。表示電極１２０は前面基板１１０の開口率を向上させるために光透過性の良いＩＴＯ（ＩｎとＳｎの合金酸化膜）、ネサ膜（ＳｎＯ２）またはその等価物中から選択されたいずれかの１つで形成されることができるが、このような材質に本発明を限るのではない。また、このような表示電極１２０は主にスパッタリングで形成されることができるが、このような形成方法に本発明を限るのではない。また、前記表示電極１２０の表面には電圧の降下を防ぐために低抵抗のバス電極（図示していない）が更に形成されることができる。このようなバス電極はＣｒ−Ｃｕ−Ｃｒ、Ａｇまたはその等価物中から選択されたいずれかの１つで形成されることができるが、このような材質に本発明を限るのではない。
【００４０】
一方、図示してはいないが、表示電極は隔壁に沿ってアドレス電極と略交差する方向（図３のＸ方向）に形成されることができる。したがって、Ｙ表示電極とＸ表示電極を境界にして互いに異なる色の蛍光体が塗布された放電セルが接することになる。このように表示電極１２０を隔壁上にまたは隔壁内に位置させる理由は、ＰＤＰの高精細化により放電空間が狭くなる問題を解消するためのものである。これによって、隔壁により区分される１つの画素には一対の表示電極が割り当てられることができる。
【００４１】
蛍光体層１６５は紫外線を受けて可視光線を発生する成分を有するが、赤色発光放電セルに形成された赤色蛍光体層は、Ｙ（Ｖ、Ｐ）Ｏ４：Ｅｕなどのような蛍光体を含み、緑色発光放電セルに形成された緑色蛍光体層はＺｎ２ＳｉＯ４：Ｍｎなどのような蛍光体を含み、青色発光放電セルに形成された青色蛍光体層はＢＡＭ：Ｅｕなどのような蛍光体を含んで形成されることができる。したがって、蛍光体層は、赤色発光、緑色発光及び青色発光蛍光体層に区分されて、互いに隣接する各々の放電セル１９１、１９２、１９３の内部に形成され、赤色発光、緑色発光、青色発光蛍光体層が形成された互いに隣接する放電セル１９１、１９２、１９３が組合わせられてカラー画像を具現する単位画素を形成することになる。
【００４２】
一方、前記前面及び背面パネルと、隔壁により区画された放電セル内にはネオン（Ｎｅ）−キセノン（Ｘｅ）や、ヘリウム（Ｈｅ）−キセノン（Ｘｅ）のような放電ガスが注入されている。
【００４３】
蛍光体層１６５とアドレス電極１５０との間の関係を注意深くみれば、蛍光体層中、例えば、赤色蛍光体層と緑色蛍光体層には１つのアドレス電極１５０が共通に割り当てられ、残りの青色蛍光体層には他の１つのアドレス電極１５０が割り当てられることができる。勿論、これに反して、蛍光体層中、緑色蛍光体層と青色蛍光体層には１つのアドレス電極１５０が共通に割り当てられ、残りの赤色蛍光体層には他の１つのアドレス電極１５０が割り当てられることができる。また、前記蛍光体層中、青色蛍光体層と赤色蛍光体層には１つのアドレス電極１５０が共通に割り当てられ、残りの緑色蛍光体層には他の１つのアドレス電極１５０が割り当てられることもできる。
【００４４】
放電セル１９１、１９２、１９３は背面基板１４０の上面の下部誘電体層１６０と隔壁１７０と上部誘電体層１３０とにより限定されて形成される。放電セル１９１、１９２、１９３は内部にプラズマ放電を起こすことができるように、放電ガス（例えば、キセノン（Ｘｅ）、ネオン（Ｎｅ）などを含んだ混合ガス）が充電されている。また、放電セル１９１、１９２、１９３には前述のように内部に紫外線を吸収して可視光を放出する蛍光体層が所定領域に形成される。放電セル１９１、１９２、１９３は各蛍光体の発光効率によって幅や長さが異なることができる。
【００４５】
一方、パネル１００は表示領域と非表示領域を含んでなされ、非表示領域には外光吸収部２００が形成されるが、図３において外光吸収部２００は非表示領域に該当する前面基板１１０の上部（立てられている時には前面）に形成されている。
【００４６】
このような外光吸収部２００に対する詳細は次の通りである。
【００４７】
図４は、図３のプラズマディスプレイパネルを前面から重なって見た図である。
【００４８】
図面を参照すれば、本発明の一側面によるプラズマディスプレイパネルは画素の集合であって、発光が必要な表示領域とこの表示領域の外側の発光が不要な非表示領域を含んでなり、非表示領域には外光による反射輝度を低減させる外光吸収部２００が形成されている。
【００４９】
ここで、表示領域とは、複数種類の放電電極に放電電圧が印加されてプラズマ放電が起こる過程で紫外線が発生し、この紫外線により放電セル内の蛍光層が励起されて基底状態に行く過程で可視光が放出されて画像が具現される領域をいう。
【００５０】
また、非表示領域とは、表示領域の外側の領域であって、Ｘ及びＹ表示電極間に維持放電が発生しない領域をいう。このような非表示領域ではＸ表示電極と、Ｙ表示電極と、アドレス電極が表示領域から一体で延びて配置され、この電極の各端子がフレキシブルプリンテッドケーブル（ｆｌｅｘｉｂｌｅ  ｐｒｉｎｔｅｄ  ｃａｂｌｅ）のような信号伝達手段の外部端子と電気的に接続されてよい。
【００５１】
本発明ではデルタ型隔壁を採択して表示領域と非表示領域がなす境界線が屈曲するようになされている。
【００５２】
図４では、画素をなす各放電セルが前面から見て上・下端部に辺が位置する正六角形である回転デルタ型構造のＰＤＰを表したが、画素をなす各放電セルが前面から見て左・右端部に辺が位置する正六角形である一般のデルタ型構造のＰＤＰである場合にも適用できることは勿論である。１つの画素に２つのアドレス電極が対応するようになされた構造のＰＤＰにも適用されることができる。回転デルタ型構造は１つの画素に２つのアドレス電極が対応するようになされることができるが、この両方が必ず等価の概念であることはない。また、本発明の内容はこれに限るのではなく、正六角形セルでない六角形、その他の多角形のセルにも適用されることができる。
【００５３】
図面を続けて見れば、表示領域の全部と、この表示領域と隣接した非表示領域の一部を含む四角形の有効画面が設定されている。より具体的には、表示領域の全部を含む四角形の有効画面内には表示領域と隣接した非表示領域を最小限含んでいる。
【００５４】
そして、有効画面内にある非表示領域に外光吸収部が形成されている。四角形の有効画面を有するデルタ型プラズマディスプレイパネルにおいて、表示領域を全部含むように四角形の有効画面を設定する場合には必然的に空間が発生することになる。このような空間はデルタ型隔壁構造に起因し、非表示領域に該当する。
【００５５】
このような空間には、通常、誘電体層や蛍光体層が塗布されているが、この誘電体層と蛍光体層は全て白色系統の色を帯びているので、非表示領域に投射される外光に対する反射輝度が非常に高い。このように非表示領域で反射輝度が高くなれば、パネルの明室コントラストを低下させることになって、画像再現時の画質を劣化させる原因となる。
【００５６】
したがって、この空間に外光吸収部が形成されることによって、この空間に投射される外光に対する反射輝度が低減され、これによって明室コントラストを向上させることができることになる。
【００５７】
このような外光吸収部は非表示領域に該当する前面基板の前面または背面に形成されることができる。この場合、外光吸収部は、有効画面内の非表示領域に該当する前面基板の前面または背面を全部カバーするように形成されることが外光に対する反射輝度を低減させるために望ましい。この際、前記外光吸収部の幅は図面に示すように最上・下辺及び／または最左・右辺で周期的に変動する。
【００５８】
または、外光吸収部は非表示領域に該当する前面基板の前面から内側に所定の深さを有するように形成された溝に光遮断物質が詰められてなされることができる。これは外光が非表示領域でない表示領域から斜めに入射して非表示領域に該当するセル内に投射されることもできるので、外光吸収部が前面基板内で所定の深さを有するように形成されることによって外光が非表示領域に該当するセル内に入射する前に予め遮断するためである。
【００５９】
または、外光吸収部は非表示領域に該当するセルをなす隔壁、蛍光体層または誘電体層上に形成されることができる。この場合にも、外光吸収部を形成することにおいて、有効画面内の非表示領域を全部カバーできるように非表示領域内に形成された隔壁、蛍光体層、または誘電体層に外光が投射される位置の全部をカバーすることが外光に対する反射輝度を低減させることに望ましい。
【００６０】
このような外光吸収部が明室コントラスト低減という本来の効果を達成するためには、外光吸収部が形成されたセルが画像を表現する放電セルの外光に対する平均反射輝度より低い反射輝度を有するように設定されることが望ましい。
【００６１】
このために、外光吸収部は光吸収率の高い材質からなることが望ましく、より具体的に、外光吸収部は表面色がブラック系統である材質を含んでなされることが望ましい。
【００６２】
図５は、本発明の他の実施形態に係るプラズマディスプレイパネルの部分拡大斜視図である。ここでは、図３及び図４に表した実施形態と異なる部分のみを説明することにする。
【００６３】
図面を参照すれば、本発明の他の実施形態に係るプラズマディスプレイパネルは画素の集合であって、発光が必要な表示領域とこの表示領域の外側の発光が不要な非表示領域を含んでなされ、非表示領域の中、有効画面内にある非表示領域には外光による反射輝度を低減させる外光吸収部が形成される。
【００６４】
この場合、少なくとも有効画面内の非表示領域には、非表示領域に該当するセル空間が低減するように表示領域の最外郭をなす隔壁から延びたダミー壁１８０が形成され、外光吸収部２００はダミー壁１８０上に形成されている。
【００６５】
ここで、ダミー壁１８０は隔壁１７０と別途に形成されることができるが、工程の便宜上、隔壁１７０と一体形成されることが望ましい。
【００６６】
有効画面内の非表示領域にダミー壁のない場合には、非表示領域に属するセル内でアドレス放電などの予備放電が発生する可能性もあり、非表示領域に属するセルに電荷が異常に蓄積された場合には誤放電が生じる危険もある。
【００６７】
しかしながら、少なくとも有効画面内の非表示領域にダミー壁１８０を形成することによって前記の予備放電や誤放電が生じる空間を事前に除去できることになる。
【００６８】
また、このようなダミー壁１８０上に外光吸収部２００が形成されることによって、非表示領域に投射される外光を吸収して反射輝度を低減することができ、これによって明室コントラストを向上させることができることになる。
【００６９】
この際、外光吸収部２００を形成することにおいて、有効画面内の非表示領域を全部カバーできるように、非表示領域内に形成されたダミー壁１８０に外光が投射される領域の全部をカバーすることが、外光に対する反射輝度を低減させるために望ましい。延いては、表示領域の最外郭の隔壁の上面にも外光吸収部が形成されることができる。
【００７０】
図６は、本発明のさらに別の実施形態に係るプラズマディスプレイパネルを前面から重なって見た図である。ここでは、図３及び図４に表した実施形態と異なる部分のみを説明する。
【００７１】
図面を参照すれば、本発明の他の側面から見たプラズマディスプレイパネルは画素の集合であって、発光が必要な表示領域とこの表示領域の外側の発光が不要な非表示領域を含んでなり、表示領域の全部のみを含む有効画面３１０が設定されるようになされる。言い換えると、表示領域と有効画面３１０が一致する。
【００７２】
図２では、四角形の有効画面を採択して表示領域に属する画素の一部が有効画面から外れることになり、これによって、有効画面の縁付近で色の不均衡（ｕｎｂａｌａｎｃｅ）が発生して本来表現しようとする色を表現できなくなる問題があった。このような問題を解決するために、有効画面を表示領域と非表示領域とがなす屈曲している境界線に一致するように形成することにより、有効画面の縁付近でも色の均衡を維持できることになり、また、有効画面内に非表示領域が存在しなくなって、非表示領域で外光反射が起こる問題も予め防ぐことができる。
【００７３】
この場合、表示領域の全部のみを含む有効画面３１０を設定するために、パネルを覆いかぶせる前面ケースが前記非表示領域を全部覆うように形成されることができる。
【００７４】
これによって、画像を表現する色の均衡をなしながら明室コントラストを向上させることができることになる。
【００７５】
本発明は、図示された実施形態を中心にして説明されたが、これは例示に過ぎないのであり、本発明の技術分野で通常の知識を有する者は多様な変形及び均等な他の実施形態を包括できることを理解するはずである。
【図面の簡単な説明】
【００７６】
【図１】四角形の有効画面を有するデルタ型プラズマディスプレイパネルに形成された空間を示す概略図である。
【図２】図１示す有効画面内の空間を遮るように画素を移動させた図である。
【図３】本発明の一実施形態に係るプラズマディスプレイパネルの部分拡大斜視図である。
【図４】図３のプラズマディスプレイパネルを前面から重なって見た図である。
【図５】本発明の他の実施形態に係るプラズマディスプレイパネルの部分拡大斜視図である。
【図６】本発明の又他の実施形態に係るプラズマディスプレイパネルを前面から重なって見た図である。
【符号の説明】
【００７７】
１００  ＰＤＰ
１１０  前面基板
１２０  表示電極
１２２  Ｙ表示電極
１２４  Ｘ表示電極
１３０  上部誘電体層
１３５  保護層
１４０  背面基板
１５０  アドレス電極
１６０  下部誘電体層
１７０  隔壁
１８０  ダミー壁
１９０  画素
１９１、１９２、１９３  放電セル
２００  外光吸収部
３００、３１０  有効画面
【図１】
2007073512.tif 000003
【図２】
2007073512.tif 000004
【図３】
2007073512.tif 000005
【図４】
2007073512.tif 000006
【図５】
2007073512.tif 000007
【図６】
2007073512.tif 000008